(57)【要約】【課題】軽量化を達成するとともに、液体が筐体内部へ侵入することを防止することができる電子機器を提供する。【解決手段】キーボード２０は、下部筐体２の筐体カバー部２Ａに両面接着テープ２３で接着して固定される。下部筐体２の筐体カバー部２Ａは、開口部２４ａ〜２４ｄを有し、開口部２４ａ〜２４ｄの周囲にはキーボード２０を接着するための接着しろである端部２１と、キーボード２０を接着して支持するための補強部２２とを設ける。キーボード２０は、キーボードコネクタ２０ａを有し、開口部２４ｂから下部筐体２の内部のコネクタ２０ｅに接続する。【選択図】図１
2008305196.tif 000002
【特許請求の範囲】
【請求項１】
キーボードと、
前記キーボードと水密に接合される端部を含む開口部を設けた筐体カバーとを有することを特徴とする電子機器。
【請求項２】
前記筐体カバーは、前記端部が前記キーボードの裏面の周縁と接着されることを特徴とする請求項１に記載の電子機器。
【請求項３】
キーボードと、
前記キーボード裏面の周縁と接着されて水密に接合される端部を含む開口部を設けた筐体カバーとを有することを特徴とする電子機器。
【請求項４】
前記キーボードは、コネクタを有し、
前記コネクタは、前記キーボードの前記端部から所定の幅をもって設けられることを特徴とする請求項１または３に記載の電子機器。
【請求項５】
端部から所定の幅を設けて取り出されるコネクタを有するキーボードと、
前記キーボード裏面の周縁と接着されて水密に接合される端部を含む開口部を設けた筐体カバーとを有することを特徴とする電子機器。
【請求項６】
前記コネクタは、前記筐体カバーの前記開口部内に位置するように設けられることを特徴とする請求項５に記載の電子機器。
【請求項７】
前記開口部は、前記キーボードを支持する補強部を有することを特徴とする請求項１、請求項３、または請求項５に記載の電子機器。
【請求項８】
前記キーボードと前記筐体カバーは、厚みを有する両面接着テープにより接着されることを特徴とする請求項１、請求項３、または請求項５に記載の電子機器。
【発明の詳細な説明】
【技術分野】
【０００１】
本発明は、電子機器に関する。
【背景技術】
【０００２】
従来の技術として、キーボードを搭載するプレートを筐体カバーに密着するように固定し、液体がキーボード側から筐体内部に侵入することを防止する電子機器がある（例えば、特許文献１参照）。
【０００３】
この電子機器は、例えば、ノートＰＣ（Personal Computer）等のキーボードを有する電子機器であって、キーボードと、キーボードが搭載されるプレートと、キーボードを積載する筐体カバーとを有する。プレートは、筐体カバーに設けられた複数のフックにスライドして係合し、プレートの周囲と筐体カバーが密着して固定される。
【０００４】
この特許文献１の電子機器によると、キーボード上に飲料等の液体をこぼしても、プレートと筐体カバーとが密着するように固定されるため、プレートと筐体カバーとの係合部から筐体内部へ液体が流れ込むことを防止することができる。
【特許文献１】特開２００６−９９５５１号公報
【発明の開示】
【発明が解決しようとする課題】
【０００５】
しかし、従来の電子機器によると、筐体内部へ液体が侵入することを防止するためにプレートを用意する必要があり、電子機器の重量が増加するという問題がある。また、プレートを筐体カバーに密着させるために、筐体カバーに複数の係合用のフックを設ける必要があり、加工および組み立ての工程が増加する。
【０００６】
従って、本発明の目的は、軽量化を達成するとともに、液体が筐体内部へ侵入することを防止できる電子機器を提供することにある。
【課題を解決するための手段】
【０００７】
（１）本発明は上記目的を達成するため、キーボードと、前記キーボードと水密に接合される端部を含む開口部を設けた筐体カバーとを有することを特徴とする電子機器を提供する。
【０００８】
上記した構成によれば、キーボードと筐体カバーを水密に接合したことにより防滴性を達成でき、筐体カバーに開口部を設けたことで軽量化できる。
【０００９】
（２）また、本発明は上記目的を達成するため、キーボードと、前記キーボード裏面の周縁と接着されて水密に接合される端部を含む開口部を設けた筐体カバーとを有することを特徴とする電子機器を提供する。
【００１０】
上記した構成によれば、キーボード裏面の周囲と筐体カバーを水密に接合することで、（１）に比べて開口部をより広く設けることができ、軽量化を促進できる。
【００１１】
（３）また、本発明は上記目的を達成するため、端部から所定の幅を設けて取り出されるコネクタを有するキーボードと、前記キーボード裏面の周縁と接着されて水密に接合される端部を有する開口部を設けた筐体カバーとを有することを特徴とする電子機器を提供する。
【００１２】
上記した方法によれば、（１）および（２）の効果に加え、コネクタを端部と離れた位置に設けることで、接着面の平坦性が向上し、水密性を向上させることができる。
【発明の効果】
【００１３】
本発明によれば、軽量化と防滴性を同時に達成できる。
【発明を実施するための最良の形態】
【００１４】
以下に、本発明の実施の形態を、図面を参照して詳細に説明する。
【００１５】
（構  成）
図１（ａ）および（ｂ）は、本発明の実施の形態に係る電子機器としてのノートＰＣを示す概略図である。
【００１６】
図１（ａ）に示すように、ノートＰＣ１は、内部にＣＰＵ（Central Processing Unit）やＨＤＤ（Hard Disc Drive）等のデバイスを収容する下部筐体２と、ＬＣＤ（Liquid Crystal Display）からなる表示部３０を有する上部筐体３とから構成され、下部筐体２と上部筐体３はヒンジ部４によって回転可能に接続されている。下部筐体２は、英数字や記号等の文字を入力可能なキーボード２０と、表示部３０に表示されるカーソル等を操作するトラックパッド２５ａおよび決定スイッチ２５ｂと、各種操作を割り当てて使用する機能スイッチ２６と、音声を出力するスピーカ２７とを有する。
【００１７】
図１（ｂ）に示すように、キーボード２０は、下部筐体２の筐体カバー部２Ａに両面接着テープ２３で互いに接着固定される。下部筐体２の筐体カバー部２Ａは、開口部２４ａ〜２４ｄを有し、開口部２４ａ〜２４ｄの周囲にはキーボード裏面２０ｃの縁から一定の幅の部分である周縁を接着するための接着しろ領域である端部２１と、キーボード２０を接着して支持するための補強部２２とを有する。キーボード２０は、キーボードコネクタ２０ａを有し、開口部２４ｂから下部筐体２の内部のコネクタ２０ｅに接続する。
【００１８】
図２（ａ）および（ｂ）は、本発明の実施の形態に係るキーボードを示す概略図である。
【００１９】
キーボード２０は、アルミまたはステンレス等を用いたキーボードプレート２０２上に、複数のスイッチを有するメンブレンシート２０１を搭載し、メンブレンシート２０１の各スイッチ上にそれぞれキートップ２００を設けて構成される。
【００２０】
キーボード裏面２０ｃには、筐体カバー部２Ａの端部２１に接着される接着部２０ｄが設けられている。接着部２０ｄは、キーボード裏面２０ｃの周縁に約５ｍｍ程度の幅ｂを接着しろとして有するように設けられている。また、キーボード２０をノートＰＣ１と電気的に接続するためのキーボードコネクタ２０ａのコネクタ取り出し部２００ｂは、キーボード裏面２０ｃの縁から前述の幅ｂより大きい幅ａ、例えば１０ｍｍの幅を有するようにキーボード裏面２０ｃの縁より内側に設けられる。
【００２１】
なお、キーボード２０は、防滴性を有しており、キーボード表面２０ｂに液体をこぼしても、キーボード裏面２０ｃおよびキーボードコネクタ２０ａのコネクタ取り出し部２００ｂから液体が筐体内部に侵入しない。
【００２２】
図３（ａ）および（ｂ）は、本発明の実施の形態に係る下部筐体および両面接着テープを示す概略図である。
【００２３】
下部筐体２の筐体カバー部２Ａは、複数の開口部２４ａ〜２４ｄを有し、開口部２４ａ〜２４ｄそれぞれの周囲にキーボード２０の接着部２０ｄと接着される端部２１を有する。端部２１の幅はキーボード２０の接着部２０ｄの幅ｂと一致する。
【００２４】
また、筐体カバー部２Ａは、開口部２４ａ〜２４ｄそれぞれの周囲に、キーボード２０のキーボード裏面２０ｃの一部と接着されてキーボード２０を支持する補強部２２を複数有する。補強部２２を設けることにより、キートップ２００押下時にキーボード２０が振動で跳ねることを防止でき、トランポリン対策となる。なお、キーボード２０の大きさ、およびキーボードプレート２０２の材質や硬度に基づき、補強部２２は、その数や向きを変更する。
【００２５】
両面接着テープ２３は、端部２１と補強部２２とで構成される領域と同一の形状を有しており、スポンジ状のシーリング材を用いる。両面接着テープの厚みは０．５ｍｍ以上のものを用い、端部２１および接着部２０ｄの製作誤差を吸収して平坦性を維持する。
【００２６】
図４は、本発明の実施の形態に係るキーボードと筐体カバー部の接着を示す部分断面図である。
【００２７】
キーボード２０の接着部２０ｄは、両面接着テープ２３により筐体カバー部２Ａの端部２１と接着する。両面接着テープ２３は、スポンジ状のシーリング材であるため、水の侵入を防ぎ、キートップ２００押下時の衝撃を吸収する。
【００２８】
（効  果）
上記した実施の形態によると、キーボード２０と筐体カバー部２Ａとを接着して一体化することにより、キーボード２０と筐体カバー部２Ａとが水密に接合される。このことにより、液体の侵入を防ぎ、筐体カバー部２Ａに開口部２４ａ〜２４ｄを設けることにより、下部筐体２の軽量化を図ることができる。
【００２９】
また、キーボード裏面２０ｃの端部から幅ａだけ離れた箇所からキーボードコネクタ２０ａを取り出し、開口部からキーボードコネクタ２０ａを筐体内部に通すことで、キーボード２０の端部からキーボードコネクタを取り出す従来の構成に比べ、接着部２０ｄの平坦性を低下させない。
【００３０】
また、補強部２２を設けるとともに、両面接着テープ２３に厚みをもたせることで、キートップ２００押下時にキーボード２０が振動で跳ねることを防止できる。
【００３１】
なお、キーボード２０のキーボード表面２０ｂの周囲に接着部を設け、筐体カバー部２Ａの裏面に端部を設けてキーボードを設置しても同等の効果を達成できる。
【００３２】
なお、本実施の形態において示したキーボード２０の形状、および筐体カバー部２Ａの形状は一例であり、本発明の趣旨を逸脱しない範囲で変更可能である。例えば、トラックパッド２５ａ、決定スイッチ２５ｂ、機能スイッチ２６、およびスピーカ２７を本発明と同様の構成を用いて搭載することで、それぞれと下部筐体２との接着部に防滴性を持たせることができる。
【図面の簡単な説明】
【００３３】
【図１】（ａ）および（ｂ）は、本発明の実施の形態に係る電子機器としてのノートＰＣを示す概略図である。
【図２】（ａ）および（ｂ）は、本発明の実施の形態に係るキーボードを示す概略図である。
【図３】（ａ）および（ｂ）は、本発明の実施の形態に係る下部筐体および両面接着テープを示す概略図である。
【図４】本発明の実施の形態に係るキーボードと筐体カバー部の接着を示す部分断面図である。
【符号の説明】
【００３４】
１…ノートＰＣ、２…下部筐体、２Ａ…筐体カバー部、３…上部筐体、４…ヒンジ部、２０…キーボード、２０ａ…キーボードコネクタ、２０ｂ…キーボード表面、２０ｃ…キーボード裏面、２０ｄ…接着部、２０ｅ…コネクタ、２１…端部、２２…補強部、２３…両面接着テープ、２４ａ…開口部、２４ｂ…開口部、２４ｃ…開口部、２４ｄ…開口部、２５ａ…トラックパッド、２５ｂ…決定スイッチ、２６…機能スイッチ、２７…スピーカ、３０…表示部、２００…キートップ、２００ａ…コネクタ端子、２００ｂ…コネクタ取り出し部、２０１…メンブレンシート、２０２…キーボードプレート
【図１】
2008305196.tif 000003
【図２】
2008305196.tif 000004
【図３】
2008305196.tif 000005
【図４】
2008305196.tif 000006